(57)【要約】      （修正有）【課題】システムで管理される複数のテーブルのグループの変更操作を容易に行うことができるテーブル管理装置、テーブル管理プログラム及びテーブル管理方法を提供する。【解決手段】テーブル管理装置は、画像を表示する表示部と、施設に配置される一又は複数のテーブルを含むテーブルグループごとに、テーブルグループに対応するテーブルグループ画像を表示部に表示させる表示処理部と、ユーザにより指示される表示部上の点の位置を指示位置として検出する検出処理部と、表示部に表示されているテーブルグループ画像に対して、一度に最大で１つの指示位置のみが検出される操作態様で行われる予め定められたグループ分割操作が行われた場合に、当該テーブルグループ画像に対応するテーブルグループを複数のテーブルグループに分割するグループ編集処理部とを備える。【選択図】図１
2020123195.tif 000002
【特許請求の範囲】
【請求項１】
施設に配置される一又は複数のテーブルを含むテーブルグループごとに、前記テーブルグループに対応するテーブルグループ画像を表示部に表示させる表示処理部と、
ユーザにより指示される前記表示部上の点の位置を指示位置として検出する検出処理部と、
前記表示部に表示されている前記テーブルグループ画像に対して、一度に最大で１つの前記指示位置のみが検出される操作態様で行われる予め定められたグループ分割操作が行われた場合に、当該テーブルグループ画像に対応する前記テーブルグループを複数のテーブルグループに分割するグループ編集処理部と、
を備えるテーブル管理装置。
【請求項２】
前記グループ分割操作は、前記テーブルグループ画像上の点を複数回指示する第１操作を含む、
請求項１に記載のテーブル管理装置。
【請求項３】
前記グループ分割操作は、前記テーブルグループ画像上の点を予め定められた時間以上指示し続ける第２操作を含む、
請求項１又は請求項２に記載のテーブル管理装置。
【請求項４】
前記グループ分割操作は、前記テーブルグループ画像を横切るように前記指示位置を移動させる第３操作を含む、
請求項１〜３のいずれかに記載のテーブル管理装置。
【請求項５】
前記グループ編集処理部は、前記グループ分割操作に応じて、３つ以上のテーブルを含むテーブルグループを、一度に３つ以上のテーブルグループに分割可能である、
請求項１〜４のいずれかに記載のテーブル管理装置。
【請求項６】
前記グループ編集処理部は、前記グループ分割操作に応じて、３つ以上のテーブルを含むテーブルグループを、テーブル各々に対応する最小単位のテーブルグループに分割可能である、
請求項５に記載のテーブル管理装置。
【請求項７】
前記グループ編集処理部は、前記グループ分割操作に応じて、３つ以上のテーブルを含むテーブルグループを、前記テーブルグループを複数のテーブルグループに分割可能な複数の分割パターンのうち、前記グループ分割操作に応じて選択される分割パターンで分割する、
請求項１〜６のいずれかに記載のテーブル管理装置。
【請求項８】
前記グループ分割操作は、前記テーブルグループ画像上の点を複数回指示する操作を含み、
前記グループ編集処理部は、前記複数の分割パターンのうち、前記グループ分割操作において前記テーブルグループ画像上の点が指示される回数に応じて選択される分割パターンで、前記テーブルグループを分割する、
請求項７に記載のテーブル管理装置。
【請求項９】
前記グループ分割操作は、前記テーブルグループ画像上の点を予め定められた時間以上指示し続ける操作を含み、
前記グループ編集処理部は、前記複数の分割パターンのうち、前記グループ分割操作において前記テーブルグループ画像上の点が指示され続ける時間に応じて選択される分割パターンで、前記テーブルグループを分割する、
請求項７に記載のテーブル管理装置。
【請求項１０】
前記グループ分割操作は、前記テーブルグループ画像を横切るように前記指示位置を移動させる操作を含み、
前記グループ編集処理部は、前記複数の分割パターンのうち、前記グループ分割操作において前記指示位置が前記テーブルグループ画像を横切る位置に応じて選択される分割パターンで、前記テーブルグループを分割する、
請求項７に記載のテーブル管理装置。
【請求項１１】
前記第１操作が検出された後、前記テーブルグループ画像以外の点が前記指示位置として検出された場合に、前記グループ編集処理部による分割後の複数のテーブルグループに対応する複数の前記テーブルグループ画像のうちの一部を前記指示位置に移動させる移動処理部を更に備える、
請求項２に記載のテーブル管理装置。
【請求項１２】
前記第２操作が検出された後、前記テーブルグループ画像以外の点が前記指示位置として検出された場合に、前記グループ編集処理部による分割後の複数のテーブルグループに対応する複数の前記テーブルグループ画像のうちの一部を前記指示位置に移動させる移動処理部を更に備える、
請求項３に記載のテーブル管理装置。
【請求項１３】
前記グループ編集処理部による分割後の複数のテーブルグループに対応する複数の前記テーブルグループ画像のうちの一部を前記第３操作の終点に移動させる移動処理部を更に備える、
請求項４に記載のテーブル管理装置。
【請求項１４】
前記表示部に表示されている前記テーブルグループ画像に対して、一度に最大で１つの前記指示位置のみが検出される操作態様で行われる、前記グループ分割操作とは異なる特定操作が行われた場合に、当該テーブルグループ画像に対応する前記テーブルグループに関する特定処理を実行する実行処理部を更に備える、
請求項１〜１３のいずれかに記載のテーブル管理装置。
【請求項１５】
前記テーブルグループ画像には、前記テーブルグループ画像に対応するテーブルグループに含まれるテーブル各々の許容人数を合計した合計許容人数を示す合計許容人数情報が含まれる、
請求項１〜１４のいずれかに記載のテーブル管理装置。
【請求項１６】
前記施設を利用する一又は複数の利用者からなる利用者グループを、ユーザ操作に応じていずれかの前記テーブルグループに割り当てる配席処理部を更に備える、
請求項１〜１５のいずれかに記載のテーブル管理装置。
【請求項１７】
前記表示処理部は、前記テーブルグループ画像に加えて、前記利用者グループを示す利用者グループ画像を前記表示部に表示させ、
前記配席処理部は、前記利用者グループ画像が前記テーブルグループ画像にドラッグアンドドロップされた場合に、前記利用者グループ画像に対応する利用者グループを前記テーブルグループ画像に対応するテーブルグループに割り当てる、
請求項１６に記載のテーブル管理装置。
【請求項１８】
前記テーブルグループ画像には、前記配席処理部により前記テーブルグループ画像に対応するテーブルグループに割り当てられた利用者グループを示す利用者グループ情報が含まれる、
請求項１６又は請求項１７に記載のテーブル管理装置。
【請求項１９】
一又は複数のプロセッサに、
施設に配置される一又は複数のテーブルを含むテーブルグループごとに、前記テーブルグループに対応するテーブルグループ画像を表示部に表示させる表示ステップと、
ユーザにより指示される前記表示部上の点の位置を指示位置として検出する検出ステップと、
前記表示部に表示されている前記テーブルグループ画像に対して、一度に最大で１つの前記指示位置のみが検出される操作態様で行われる予め定められたグループ分割操作が行われた場合に、当該テーブルグループ画像に対応する前記テーブルグループを複数のテーブルグループに分割するグループ編集ステップと、
を実行させるためのテーブル管理プログラム。
【請求項２０】
施設に配置される一又は複数のテーブルを含むテーブルグループごとに、前記テーブルグループに対応するテーブルグループ画像を表示部に表示させる表示ステップと、
ユーザにより指示される前記表示部上の点の位置を指示位置として検出する検出ステップと、
前記表示部に表示されている前記テーブルグループ画像に対して、一度に最大で１つの前記指示位置のみが検出される操作態様で行われる予め定められたグループ分割操作が行われた場合に、当該テーブルグループ画像に対応する前記テーブルグループを複数のテーブルグループに分割するグループ編集ステップと、
を含むテーブル管理方法。
【発明の詳細な説明】
【技術分野】
【０００１】
本発明は、テーブル管理装置、テーブル管理プログラム、及びテーブル管理方法に関する。
【背景技術】
【０００２】
予め設定された予約可能人数や空席数に基づいて店舗の予約を管理可能な予約管理システムが知られている（例えば、特許文献１参照）。
【先行技術文献】
【特許文献】
【０００３】
【特許文献１】特開２０１６−１８４２５４号公報
【発明の概要】
【発明が解決しようとする課題】
【０００４】
ところで、飲食店のような施設に配置されるテーブルのレイアウトが適宜変更可能である場合には、利用者の１グループ当たりの許容人数を変更するために施設内のテーブルのレイアウトが変更されることがある。１グループ当たりの許容人数を管理可能なシステムを考えた場合、施設内のテーブルのレイアウトの変更に応じて、１グループ当たりの許容人数を変更するテーブルのグループの変更操作を容易に行うことが可能であることが望まれる。
【０００５】
本発明の目的は、システムで管理される複数のテーブルのグループの変更操作を容易に行うことができるテーブル管理装置、テーブル管理プログラム、及びテーブル管理方法を提供することにある。
【課題を解決するための手段】
【０００６】
本発明に係るテーブル管理装置は、画像を表示する表示部と、施設に配置される一又は複数のテーブルを含むテーブルグループごとに、前記テーブルグループに対応するテーブルグループ画像を前記表示部に表示させる表示処理部と、ユーザにより指示される前記表示部上の点の位置を指示位置として検出する検出処理部と、前記表示部に表示されている前記テーブルグループ画像に対して、一度に最大で１つの前記指示位置のみが検出される操作態様で行われる予め定められたグループ分割操作が行われた場合に、当該テーブルグループ画像に対応する前記テーブルグループを複数のテーブルグループに分割するグループ編集処理部とを備える。
【０００７】
本発明に係るテーブル管理プログラムは、一又は複数のプロセッサに、施設に配置される一又は複数のテーブルを含むテーブルグループごとに、前記テーブルグループに対応するテーブルグループ画像を表示部に表示させる表示ステップと、ユーザにより指示される前記表示部上の点の位置を指示位置として検出する検出ステップと、前記表示部に表示されている前記テーブルグループ画像に対して、一度に最大で１つの前記指示位置のみが検出される操作態様で行われる予め定められたグループ分割操作が行われた場合に、当該テーブルグループ画像に対応する前記テーブルグループを複数のテーブルグループに分割するグループ編集ステップとを実行させるためのテーブル管理プログラムである。
【０００８】
本発明に係るテーブル管理方法は、施設に配置される一又は複数のテーブルを含むテーブルグループごとに、前記テーブルグループに対応するテーブルグループ画像を表示部に表示させる表示ステップと、ユーザにより指示される前記表示部上の点の位置を指示位置として検出する検出ステップと、前記表示部に表示されている前記テーブルグループ画像に対して、一度に最大で１つの前記指示位置のみが検出される操作態様で行われる予め定められたグループ分割操作が行われた場合に、当該テーブルグループ画像に対応する前記テーブルグループを複数のテーブルグループに分割するグループ編集ステップとを含む。
【発明の効果】
【０００９】
本発明によれば、システムで管理される複数のテーブルのグループの変更操作を容易に行うことができるテーブル管理装置、テーブル管理プログラム、及びテーブル管理方法が提供される。
【図面の簡単な説明】
【００１０】
【図１】図１は、本発明の実施の形態に係るテーブル管理装置の構成を示すブロック図である。
【図２】図２は、本発明の実施の形態に係るテーブル管理装置で使用されるテーブル情報の一例を示す図である。
【図３】図３は、本発明の実施の形態に係るテーブル管理装置で使用されるテーブルグループ情報の一例を示す図である。
【図４】図４は、本発明の実施の形態に係るテーブル管理装置で使用されるテーブルグループ情報の一例を示す図である。
【図５】図５は、本発明の実施の形態に係るテーブル管理装置で使用される予約情報の一例を示す図である。
【図６】図６は、本発明の実施の形態に係るテーブル管理装置で実行されるテーブル管理処理の手順の一例を示すフローチャートである。
【図７】図７は、本発明の実施の形態に係るテーブル管理装置で使用されるテーブル管理画面の一例を示す図である。
【図８】図８は、本発明の実施の形態に係るテーブル管理装置で使用されるテーブル管理画面の一例を示す図である。
【図９】図９は、本発明の実施の形態に係るテーブル管理装置で受け付けられるグループ分割操作の一例を示す図である。
【図１０】図１０は、本発明の実施の形態に係るテーブル管理装置で受け付けられるグループ分割操作の一例を示す図である。
【図１１】図１１は、本発明の実施の形態に係るテーブル管理装置で受け付けられるグループ分割操作の一例を示す図である。
【図１２】図１２は、本発明の実施の形態に係るテーブル管理装置で受け付けられるグループ分割操作の一例を示す図である。
【図１３】図１３は、本発明の実施の形態に係るテーブル管理装置で受け付けられるグループ分割操作の一例を示す図である。
【図１４】図１４は、本発明の実施の形態に係るテーブル管理装置で表示される新規予約画面の一例を示す図である。
【図１５】図１５は、本発明の実施の形態に係るテーブル管理装置で使用されるテーブル管理画面の一例を示す図である。
【図１６】図１６は、本発明の実施の形態に係るテーブル管理装置で使用されるテーブル管理画面の一例を示す図である。
【発明を実施するための形態】
【００１１】
以下添付図面を参照しながら、本発明の実施形態について説明し、本発明の理解に供する。なお、以下の実施形態は、本発明を具体化した一例であって、本発明の技術的範囲を限定するものではない。
【００１２】
［テーブル管理装置１］
テーブル管理装置１は、飲食店のような施設に設置されるテーブルを管理するための装置である。テーブル管理装置１は、施設を予約した利用者グループ又は施設を訪れた利用者グループを一又は複数のテーブルに割り当てる配席機能を備えている。本実施形態では、前記施設が飲食店である場合について説明する。
【００１３】
ところで、飲食店のような施設に配置されるテーブルのレイアウトが適宜変更可能である場合には、利用者の１グループ当たりの許容人数を変更するために施設内のテーブルのレイアウトが変更されることがある。１グループ当たりの許容人数を管理可能なシステムを考えた場合、施設内のテーブルのレイアウトの変更に応じて、１グループ当たりの許容人数を変更するテーブルのグループの変更操作を容易に行うことが可能であることが望まれる。本実施形態に係るテーブル管理装置１によれば、システムで管理される複数のテーブルのグループの変更操作を容易に行うことができる。
【００１４】
図１に示されるように、テーブル管理装置１は、制御部１１、記憶部１２、操作部１３、及び表示部１４などを備える。なお、テーブル管理装置１は、１台のコンピュータに限らず、複数台のコンピュータ（例えば、通信可能に接続されたサーバ装置及び携帯端末など）が協働して動作するコンピュータシステムであってもよい。また、テーブル管理装置１で実行される各種の処理は、一又は複数のプロセッサによって分散して実行されてもよい。
【００１５】
操作部１３は、操作を受け付けるマウス、キーボード、又はタッチパネルなどの操作部である。
【００１６】
表示部１４は、各種の情報を表示する液晶ディスプレイ又は有機ＥＬディスプレイのような表示部である。なお、操作部１３及び表示部１４が、タッチパネルディスプレイとして構成されていてもよい。
【００１７】
記憶部１２は、各種の情報を記憶するＨＤＤ（Ｈａｒｄ  Ｄｉｓｋ  Ｄｒｉｖｅ）又はＳＳＤ（Ｓｏｌｉｄ  Ｓｔａｔｅ  Ｄｒｉｖｅ）などの不揮発性の記憶部である。具体的に、記憶部１２には、テーブル情報Ｄ１、テーブルグループ情報Ｄ２、及び予約情報Ｄ３などのデータが記憶される。ここに、図２はテーブル情報Ｄ１の一例を示す図であり、図３及び図４はテーブルグループ情報Ｄ２の一例を示す図であり、図５は予約情報Ｄ３の一例を示す図である。
【００１８】
図２に示されるように、テーブル情報Ｄ１には、飲食店に設置されているテーブルごとに対応するテーブルＩＤ、許容人数、レイアウト情報、及び移動可否情報などの情報が含まれる。前記テーブルＩＤは、テーブルを識別するための識別情報である。前記許容人数は、前記テーブルの許容人数である。前記レイアウト情報は、テーブル管理画面Ｐ１（図７、図８参照）において、前記テーブル各々に対応するテーブルグループ画像Ｇ１を表示するために必要となる情報であって、例えば、前記テーブルに対応するテーブルグループ画像Ｇ１の形、大きさ、表示位置などの情報を含む。前記移動可否情報は、前記テーブルを移動させることが可能であるか否かを示す情報である。例えば、床に固定されているテーブル、又は重くて容易には動かすことができないテーブルについては、前記移動可否情報が「移動不可」に設定される。
【００１９】
図３及び図４に示されるように、テーブルグループ情報Ｄ２には、一又は複数のテーブルを含むテーブルグループごとに対応する対応するテーブルグループＩＤ、合計許容人数、レイアウト情報、及びメンバーテーブルＩＤなどの情報が含まれる。前記テーブルグループＩＤは、テーブルグループを識別するための識別情報である。前記合計許容人数は、前記テーブルグループの許容人数である。前記合計許容人数は、前記テーブルグループに含まれるテーブル各々の許容人数を合計した値となる。前記レイアウト情報は、テーブル管理画面Ｐ１（図７，図８参照）において、前記テーブルグループに対応するテーブルグループ画像Ｇ１を表示するために必要となる情報であって、例えば、前記テーブルグループに対応するテーブルグループ画像Ｇ１の形、大きさ、表示位置などの情報を含む。なお、単一のテーブルで構成されるテーブルグループに対応するテーブルグループ画像Ｇ１については、テーブル情報Ｄ１に含まれるレイアウト情報に基づいてテーブル管理画面Ｐ１に表示されてもよい。前記メンバーテーブルＩＤは、前記テーブルグループに含まれるテーブルを示す情報である。図３及び図４に示される例では、前記テーブルグループに含まれるテーブル各々のテーブルＩＤが、前記メンバーテーブルＩＤとして示されている。
【００２０】
前記テーブルグループは、一又は複数のテーブルからなるグループである。例えば、図７に示されるように、テーブルＴ１〜Ｔ６の各々を２人テーブルとして単独で使用する場合、テーブルＴ１〜Ｔ６の各々に対応する６つのテーブルグループＴＧ１〜ＴＧ６が構成される。図３に示されるテーブルグループ情報Ｄ２は、テーブルＴ１〜Ｔ６の各々を２人テーブルとして単独で使用する場合のものである。
【００２１】
一方、図８に示されるように、テーブルＴ１〜Ｔ４を組み合わせて８人テーブルとして使用し、テーブルＴ５，Ｔ６を組み合わせて４人テーブルとして使用する場合、テーブルＴ１〜Ｔ４を含むテーブルグループＴＧ１とテーブルＴ５，Ｔ６を含むテーブルグループＴＧ５との２つのテーブルグループが構成される。図４に示されるテーブルグループ情報Ｄ２は、テーブルＴ１〜Ｔ４を組み合わせて８人テーブルとして使用し、テーブルＴ５，Ｔ６を組み合わせて４人テーブルとして使用する場合のものである。
【００２２】
図５に示されるように、予約情報Ｄ３には、利用者グループごとに対応する代表者名、人数、テーブルグループＩＤ、日付、及び時間帯などの情報が含まれる。前記代表者名は、利用者グループの代表者の名前である。本実施形態では、前記代表者名が、利用者グループの識別情報として用いられる。前記人数は、前記利用者グループの人数である。前記テーブルグループＩＤは、前記利用者グループに割り当てられたテーブルグループの識別情報である。前記日付は、前記利用者グループによって予約されている日付である。前記時間帯は、前記利用者グループによって予約されている時間帯である。なお、予約情報Ｄ３には、これらの情報に加えて、前記利用者グループの代表者の電話番号、及び前記利用者グループに提供すべきコースメニューなどの情報が含まれていてもよい。
【００２３】
予約情報Ｄ３には、新規の予約が受け付けられるごとに、当該予約に関する情報が随時に登録される。
【００２４】
なお、他の実施形態として、テーブル情報Ｄ１、テーブルグループ情報Ｄ２、及び予約情報Ｄ３などの情報の一部又は全部が、テーブル管理装置１からアクセス可能なサーバに記憶されていることも考えられる。そして、テーブル管理装置１の制御部１１は、前記サーバから各種の情報を取得して、テーブル管理処理（図６参照）などの各処理を実行してもよい。
【００２５】
また、記憶部１２には、テーブル管理画面Ｐ１（図７、図８参照）、及び新規予約画面Ｐ２（図１４参照）などのデータも記憶される。
【００２６】
さらに、記憶部１２には、制御部１１にテーブル管理処理（図６参照）を実行させるためのテーブル管理プログラムなどの制御プログラムが記憶されている。例えば、前記テーブル管理プログラムは、ＣＤ又はＤＶＤなどのコンピュータ読取可能な記録媒体に非一時的に記録されており、テーブル管理装置１が備えるＣＤドライブ又はＤＶＤドライブなどの読取装置（不図示）で読み取られて記憶部１２に記憶される。もしくは、前記テーブル管理プログラムは、テーブル管理装置１からアクセス可能なサーバからダウンロードされて、記憶部１２に記憶されてもよい。
【００２７】
制御部１１は、ＣＰＵ、ＲＯＭ、及びＲＡＭなどの制御機器を有する。前記ＣＰＵは、各種の演算処理を実行するプロセッサである。前記ＲＯＭは、前記ＣＰＵに各種の演算処理を実行させるためのＢＩＯＳ及びＯＳなどの制御プログラムが予め記憶される不揮発性の記憶部である。前記ＲＡＭは、各種の情報を記憶する揮発性又は不揮発性の記憶部であり、前記ＣＰＵが実行する各種の処理の一時記憶メモリー（作業領域）として使用される。そして、制御部１１は、前記ＲＯＭ又は記憶部１２に予め記憶された各種の制御プログラムを前記ＣＰＵで実行することによりテーブル管理装置１を制御する。
【００２８】
具体的に、制御部１１は、図１に示されるように、表示処理部１１１、検出処理部１１２、グループ編集処理部１１３、移動処理部１１４、実行処理部１１５、及び配席処理部１１６などの各種の処理部を含む。なお、制御部１１は、前記ＣＰＵで前記テーブル管理プログラムに従った各種の処理を実行することによって表示処理部１１１、検出処理部１１２、グループ編集処理部１１３、移動処理部１１４、実行処理部１１５、及び配席処理部１１６として機能する。また、制御部１１に含まれる一部又は全部の処理部が電子回路で構成されていてもよい。なお、前記予約管理プログラムは、複数のプロセッサを前記各種の処理部として機能させるためのプログラムであってもよい。
【００２９】
表示処理部１１１は、飲食店に配置される一又は複数のテーブルを含むテーブルグループごとに、前記テーブルグループに対応するテーブルグループ画像Ｇ１を表示部１４に表示させる。具体的に、表示処理部１１１は、テーブル情報Ｄ１に含まれるレイアウト情報又はテーブルグループ情報Ｄ２に含まれるレイアウト情報に基づいて、図７又は図８に示されるようなテーブル管理画面Ｐ１を表示部１４に表示させる。テーブル管理画面Ｐ１の上側領域Ａ１には、対象日を入力又は選択するための対象日欄Ｂ１、対象時刻を入力又は選択するための対象時刻欄Ｂ２、及び新規予約画面Ｐ２（図１４参照）を呼び出すための新規予約キーＫ１が含まれる。テーブル管理画面Ｐ１の下側領域Ａ２には、複数のテーブルグループに対応する複数のテーブルグループ画像Ｇ１が含まれる。テーブルグループ画像Ｇ１各々の中央部にはテーブルグループＩＤが表示され、右下端部には合計許容人数が表示される。
【００３０】
検出処理部１１２は、ユーザにより指示される表示部１４上の点の位置を指示位置として検出する。ユーザにより指示される表示部１４上の点の位置は、タッチパネルディスプレイに対するタッチ位置、マウスがクリックされたときのポインタの位置（以下、クリック位置と称することがある）などである。
【００３１】
グループ編集処理部１１３は、表示部１４に表示されているテーブルグループ画像Ｇ１に対して、予め定められたグループ分割操作が行われた場合に、当該テーブルグループ画像Ｇ１に対応するテーブルグループを複数のテーブルグループに分割する。例えば、グループ編集処理部１１３は、図８に示されるテーブル管理画面Ｐ１において、テーブルグループＴＧ１に対応するテーブルグループ画像Ｇ１に対して前記グループ分割操作が行われた場合に、テーブルグループＴＧ１を複数のテーブルグループに分割する。
【００３２】
なお、前記グループ分割操作は、一度に最大で１つの前記指示位置のみが検出される操作態様で行われる操作である。例えば、操作部１３がタッチパネルである場合は、前記グループ分割操作は、１本の指（又はペン）だけを用いて行われるタッチ操作である。すなわち、同時に２本以上の指でタッチパネルにタッチして行われるような操作は、前記グループ分割操作には含まれない。なお、操作部１３がマウスである場合は、基本的にポインタは１つだけであるので、マウスを用いて行われる任意の操作が、前記グループ分割操作に含まれ得る。
【００３３】
前記グループ分割操作は、テーブルグループ画像Ｇ１上の点を複数回指示する第１操作を含んでいてもよい。例えば、前記第１操作は、テーブルグループ画像Ｇ１上の点を複数回タップする操作であってもよい。もしくは、前記第１操作は、テーブルグループ画像Ｇ１上の点を複数回クリックする操作であってもよい。
【００３４】
前記グループ分割操作は、テーブルグループ画像Ｇ１上の点を予め定められた時間以上指示し続ける第２操作を含んでいてもよい。例えば、前記第２操作は、テーブルグループ画像Ｇ１上の点を予め定められた時間以上タッチし続ける操作であってもよい。もしくは、前記第２操作は、テーブルグループ画像Ｇ１上にポインタが位置している状態でマウスのボタンを予め定められた時間以上押下し続ける操作であってもよい。
【００３５】
前記グループ分割操作は、テーブルグループ画像Ｇ１を横切るように前記指示位置を移動させる第３操作を含んでいてもよい。例えば、前記第３操作は、テーブルグループ画像Ｇ１を横切るようにタッチ位置をスライドさせる操作であってもよい。もしくは、前記第３操作は、マウスのボタンを押下した状態でテーブルグループ画像Ｇ１を横切るようにポインタを移動させる操作であってもよい。
【００３６】
グループ編集処理部１１３は、前記グループ分割操作に応じて、３つ以上のテーブルを含むテーブルグループを、一度に３つ以上のテーブルグループに分割してもよい。例えば、グループ編集処理部１１３は、図８に示されるテーブル管理画面Ｐ１において、テーブルグループＴＧ１に対応するテーブルグループ画像Ｇ１に対して前記グループ分割操作が行われた場合に、テーブルグループＴＧ１を３つ以上のテーブルグループに分割してもよい。
【００３７】
また、グループ編集処理部１１３は、前記グループ分割操作に応じて、３つ以上のテーブルを含むテーブルグループを、テーブル各々に対応する最小単位のテーブルグループに分割してもよい。例えば、グループ編集処理部１１３は、図８に示されるテーブル管理画面Ｐ１において、テーブルグループＴＧ１に対応するテーブルグループ画像Ｇ１に対して前記グループ分割操作が行われた場合に、テーブルグループＴＧ１を、各々が単一のテーブルで構成される４つのテーブルグループ（すなわち、図７に示されるテーブルグループＴＧ１，ＴＧ２，ＴＧ３，ＴＧ４）に分割してもよい。
【００３８】
また、グループ編集処理部１１３は、前記グループ分割操作に応じて、３つ以上のテーブルを含むテーブルグループを、前記テーブルグループを複数のテーブルグループに分割可能な複数の分割パターンのうち、前記グループ分割操作に応じて選択される分割パターンで分割してもよい。
【００３９】
例えば、前記グループ分割操作が前記第１操作（すなわち、テーブルグループ画像Ｇ１上の点を複数回指示する操作）を含む場合、グループ編集処理部１１３は、前記複数の分割パターンのうち、前記グループ分割操作においてテーブルグループ画像Ｇ１上の点が指示される回数に応じて選択される分割パターンで、前記テーブルグループを分割してもよい。例えば、図９の（Ａ）に示されるテーブルグループ画像Ｇ１がタップされる回数に応じて、テーブルグループＴＧ１の分割パターンが図９の（Ｂ）〜（Ｅ）に示される４つの分割パターンの中から順次に選択されてもよい。そして、テーブルグループ画像Ｇ１がさらにタップされないまま一定時間が経過したことに応じて、グループ編集処理部１１３は、選択された分割パターンに従ってテーブルグループＴＧ１を分割してもよい。
【００４０】
なお、図９の（Ｅ）に示されるテーブルグループ画像Ｇ１がさらにタップされた場合は、前記グループ分割操作がキャンセルされてもよいし、図９の（Ｂ）に示される分割パターンが再度選択されてもよい。
【００４１】
なお、前記グループ分割操作に応じて順次に選択される分割パターンの順番は、図９に示される順番に限定されない。図９に示される例では、テーブルグループ画像Ｇ１上の点が指示されるごとに、分割位置Ｃ１が右方向に順次にシフトするが、他の実施形態では、図１０に示されるように、テーブルグループ画像Ｇ１上の点が指示されるごとに、分割位置Ｃ１が左方向に順次にシフトしてもよい。
【００４２】
また、さらに他の実施形態では、テーブルグループ画像Ｇ１上の前記指示位置に応じて、前記分割パターンが選択される順番が随時に変更されてもよい。例えば、テーブルグループ画像Ｇ１の左端部（例えば、図９又は図１０に示されるテーブルグループ画像Ｇ１におけるテーブルＴ１に対応する領域上の点）が指示された場合は、図９に示されるように分割位置Ｃ１が右方向にシフトされ、テーブルグループ画像Ｇ１の右端部（例えば、図９又は図１０に示されるテーブルグループ画像Ｇ１におけるテーブルＴ４に対応する領域上の点）が指示された場合は、図１０に示されるように分割位置Ｃ１が左方向にシフトされてもよい。もしくは、テーブルグループ画像Ｇ１における分割位置Ｃ１よりも左側の領域上の点が指示された場合は、図９に示されるように分割位置Ｃ１が右方向にシフトされ、テーブルグループ画像Ｇ１における分割位置Ｃ１よりも右側の領域上の点が指示された場合は、図１０に示されるように分割位置Ｃ１が左方向にシフトされてもよい。
【００４３】
また、前記グループ分割操作が前記第２操作（すなわち、テーブルグループ画像Ｇ１上の点を予め定められた時間以上指示し続ける操作）を含む場合、グループ編集処理部１１３は、前記複数の分割パターンのうち、前記グループ分割操作においてテーブルグループ画像Ｇ１上の点が指示され続ける時間に応じて選択される分割パターンで、前記テーブルグループを分割してもよい。例えば、図１１の（Ａ）に示されるテーブルグループ画像Ｇ１が継続的にタッチされる時間（すなわち、長押し操作の時間）に応じて、テーブルグループＴＧ１の分割パターンが図１１の（Ｂ）〜（Ｅ）に示される４つの分割パターンの中から順次に選択されてもよい。そして、タッチオフされたこと（すなわし、長押し操作が解除されたこと）に応じて、グループ編集処理部１１３は、選択された分割パターンに従ってテーブルグループＴＧ１を分割してもよい。
【００４４】
なお、図１１の（Ｅ）に示されるテーブルグループ画像Ｇ１がさらに継続的にタッチされた場合は、前記グループ分割操作がキャンセルされてもよいし、図１１の（Ｂ）に示される分割パターンが再度選択されてもよい。
【００４５】
なお、前記グループ分割操作に応じて順次に選択される分割パターンの順番は、図１１に示される順番に限定されない。図１１に示される例では、テーブルグループ画像Ｇ１上の点が指示され続けることに応じて、分割位置Ｃ１が右方向に順次にシフトするが、他の実施形態では、図１２に示されるように、テーブルグループ画像Ｇ１上の点が指示され続けることに応じて、分割位置Ｃ１が左方向に順次にシフトしてもよい。
【００４６】
また、さらに他の実施形態では、テーブルグループ画像Ｇ１上の前記指示位置に応じて、前記分割パターンが選択される順番が随時に変更されてもよい。例えば、テーブルグループ画像Ｇ１の左端部（例えば、図１１又は図１２に示されるテーブルグループ画像Ｇ１におけるテーブルＴ１に対応する領域上の点）が指示されている場合は、図１１に示されるように分割位置Ｃ１が右方向にシフトされ、テーブルグループ画像Ｇ１の右端部（例えば、図１１又は図１２に示されるテーブルグループ画像Ｇ１におけるテーブルＴ４に対応する領域上の点）が指示されている場合は、図１２に示されるように分割位置Ｃ１が左方向にシフトされてもよい。もしくは、テーブルグループ画像Ｇ１における分割位置Ｃ１よりも左側の領域上の点が指示されている場合は、図１１に示されるように分割位置Ｃ１が右方向にシフトされ、テーブルグループ画像Ｇ１における分割位置Ｃ１よりも右側の領域上の点が指示されている場合は、図１２に示されるように分割位置Ｃ１が左方向にシフトされてもよい。
【００４７】
また、前記グループ分割操作が前記第３操作（すなわち、テーブルグループ画像Ｇ１を横切るように前記指示位置を移動させる操作）を含む場合、グループ編集処理部１１３は、前記複数の分割パターンのうち、前記グループ分割操作において前記指示位置がテーブルグループ画像Ｇ１を横切る位置に応じて選択される分割パターンで、前記テーブルグループを分割してもよい。例えば、テーブルグループ画像Ｇ１を横切るようなスライド操作（すなわち、タッチパネルにタッチしたままタッチ位置を移動させる操作）が行われた場合に、テーブルグループ画像Ｇ１をタッチ位置が横切った位置に応じて、テーブルグループＴＧ１の分割パターンが図１３の（Ａ）〜（Ｄ）に示される４つの分割パターンの中から選択されてもよい。そして、グループ編集処理部１１３は、前記スライド操作が終了したこと（すなわち、タッチオフされたこと）に応じて、選択された分割パターンに従ってテーブルグループＴＧ１を分割してもよい。
【００４８】
移動処理部１１４は、グループ編集処理部１１３による分割後の複数のテーブルグループに対応する複数のテーブルグループ画像Ｇ１のうちの一部を、ユーザ操作に応じて移動させる。
【００４９】
例えば、移動処理部１１４は、前記第１操作（すなわち、テーブルグループ画像Ｇ１上の点を複数回指示する操作）が検出された後、当該テーブルグループ画像Ｇ１以外の点が前記指示位置として検出された場合に、グループ編集処理部１１３による分割後の複数のテーブルグループに対応する複数のテーブルグループ画像Ｇ１のうちの一部を前記指示位置に移動させてもよい。これにより、ユーザは、テーブルグループの分割と、分割されたテーブルグループに対応するテーブルグループ画像Ｇ１の移動とを、一連の操作で簡単に行うことができる。
【００５０】
また、移動処理部１１４は、前記第２操作（すなわち、テーブルグループ画像Ｇ１上の点を予め定められた時間以上指示し続ける操作）が検出された後、当該テーブルグループ画像Ｇ１以外の点が前記指示位置として検出された場合に、グループ編集処理部１１３による分割後の複数のテーブルグループに対応する複数のテーブルグループ画像Ｇ１のうちの一部を前記指示位置に移動させてもよい。これにより、ユーザは、テーブルグループの分割と、分割されたテーブルグループに対応するテーブルグループ画像Ｇ１の移動とを、一連の操作で簡単に行うことができる。
【００５１】
また、移動処理部１１４は、グループ編集処理部１１３による分割後の複数のテーブルグループに対応する複数のテーブルグループ画像Ｇ１のうちの一部を前記第３操作（すなわち、テーブルグループ画像Ｇ１を横切るように前記指示位置を移動させる操作）の終点（例えば、タッチオフされた位置）に移動させてもよい。これにより、ユーザは、テーブルグループの分割と、分割されたテーブルグループに対応するテーブルグループ画像Ｇ１の移動とを、一連の操作で簡単に行うことができる。
【００５２】
実行処理部１１５は、表示部１４に表示されているテーブルグループ画像Ｇ１に対して、前記グループ分割操作とは異なる特定操作が行われた場合に、当該テーブルグループ画像Ｇ１に対応するテーブルグループに関する特定処理を実行する。前記特定操作は、前記グループ分割操作と同様に、一度に最大で１つの前記指示位置のみが検出される操作態様（例えば、１本の指によるタッチ操作、マウスによる操作など）で行われる操作である。前記特定処理は、グループ編集処理部１１３によるテーブルグループの分割処理とは異なる処理であって、例えば、前記特定操作が行われたテーブルグループ画像Ｇ１に対応するテーブルグループに任意の利用者グループを割り当てる処理、テーブルグループの合計許容人数を変更する処理、前記テーブルグループの状態（例えば、空席状態、使用中状態、予約済み状態など）を変更する処理などである。これにより、例えば、ユーザは、テーブルグループ画像Ｇ１に対する１本の指によるタッチ操作（又はマウスによる操作）だけで、テーブルグループの分割処理と前記特定処理とを選択的に実行させることが可能となる。
【００５３】
配席処理部１１６は、前記施設を利用する一又は複数の利用者からなる利用者グループを、ユーザ操作に応じていずれかのテーブルグループに割り当てる。例えば、配席処理部１１６は、図１４に示される新規予約画面Ｐ２でユーザにより指定された新規の利用者グループを、同画面でユーザにより指定されたテーブルグループ（ここでは、テーブルグループＴＧ１）に割り当ててもよい。
【００５４】
なお、新規予約画面Ｐ２においてテーブルグループが指定されなかった場合には、表示処理部１１１が、図１５に示されるように、新規予約画面Ｐ２でユーザにより指定された新規の利用者グループに対応する利用者グループ画像Ｇ２をテーブル管理画面Ｐ１の上側領域Ａ１に表示させてもよい。そして、配席処理部１１６は、利用者グループ画像Ｇ２がテーブルグループ画像Ｇ１にドラッグアンドドロップされた場合に、当該利用者グループ画像Ｇ２に対応する利用者グループを当該テーブルグループ画像Ｇ１に対応するテーブルグループに割り当ててもよい。
【００５５】
［テーブル管理処理］
次に、図６を参照しつつ、テーブル管理装置１の制御部１１によって実行されるテーブル管理処理について説明する。
【００５６】
なお、本発明は、当該テーブル管理処理に含まれる一又は複数のステップを実行するテーブル管理方法の発明として捉えることができ、ここで説明する当該テーブル管理処理に含まれる一又は複数のステップが適宜省略されてもよい。なお、前記テーブル管理処理における各ステップは同様の作用効果を生じる範囲で実行順序が異なってもよい。さらに、ここでは制御部１１によって当該テーブル管理処理における各ステップが実行される場合を例に挙げて説明するが、複数のプロセッサによって当該テーブル管理処理における各ステップが分散して実行されるテーブル管理方法も他の実施形態として考えられる。
【００５７】
＜ステップＳ１１＞
ステップＳ１１において、制御部１１は、テーブル情報Ｄ１、テーブルグループ情報Ｄ２、及び予約情報Ｄ３等に基づいて、図７、図８等に示されるようなテーブル管理画面Ｐ１を表示部１４に表示させる。テーブル管理画面Ｐ１には、複数のテーブルグループ画像Ｇ１、及び前記対象日時に対応する利用者グループ画像Ｇ２などが含まれる。テーブルグループ画像Ｇ１各々には、対応するテーブルグループの合計許容人数を示す合計許容人数情報が含まれてもよい。当該ステップＳ１１の処理は、制御部１１の表示処理部１１１により実行される。当該ステップＳ１１は、本発明の表示ステップの一例である。
【００５８】
＜ステップＳ１２＞
ステップＳ１２において、制御部１１は、予め定められたテーブル結合操作が行われたか否かを判断する。前記テーブル結合操作は、複数のテーブルグループを１つのテーブルグループに結合する操作である。例えば、制御部１１は、テーブル管理画面Ｐ１に表示されているいずれかのテーブルグループ画像Ｇ１が別のテーブルグループ画像Ｇ１にドラッグアンドドロップされた場合に、前記テーブル結合操作が行われたと判断する。そして、前記テーブル結合操作が行われたと判断されると（Ｓ１２：Ｙｅｓ）、処理がステップＳ１３に移行する。一方、前記テーブル結合操作が行われていないと判断されると（Ｓ１２：Ｎｏ）、処理がステップＳ１５に移行する。当該ステップＳ１２の処理は、制御部１１の検出処理部１１２により実行される。当該ステップＳ１２は、本発明の検出ステップの一例である。
【００５９】
＜ステップＳ１３＞
ステップＳ１３において、制御部１１は、前記テーブル結合操作に応じてテーブルグループ情報Ｄ２を更新する。当該ステップＳ１３の処理は、制御部１１のグループ編集処理部１１３により実行される。
【００６０】
＜ステップＳ１４＞
ステップＳ１４において、制御部１１は、前記テーブル結合操作に応じてテーブル管理画面Ｐ１に含まれるテーブルグループ画像Ｇ１を更新する。当該ステップＳ１４の処理は、制御部１１の表示処理部１１１により実行される。当該ステップＳ１４は、本発明の表示ステップの一例である。
【００６１】
例えば、図７に示されるテーブル管理画面Ｐ１において、前記テーブル結合操作が複数回行われることによって（すなわち、前記ステップＳ１３及び前記ステップＳ１４の処理が複数回実行されることによって）、図８に示されるようなテーブル管理画面Ｐ１が表示部１４に表示される。
【００６２】
なお、図８に示されるテーブル管理画面Ｐ１では、複数のテーブルで構成されたテーブルグループ（ここでは、テーブルグループＴＧ１及びテーブルグループＴＧ５）に対応するテーブルグループ画像Ｇ１において、個々のテーブルのテーブルＩＤと個々のテーブルの境界線とが示されている。しかしながら、他の実施形態では、テーブルＩＤ及び境界線の少なくとも一方が非表示であってもよい。
【００６３】
＜ステップＳ１５＞
ステップＳ１５において、制御部１１は、ユーザにより指示される指示位置を操作部１３からの信号に基づいて検出し、当該指示位置に基づいて、前記テーブル分割操作（図９〜図１３参照）が行われたか否かを判断する。そして、前記テーブル分割操作が行われたと判断されると（Ｓ１５：Ｙｅｓ）、処理がステップＳ１６に移行する。一方、前記テーブル分割操作が行われていないと判断されると（Ｓ１５：Ｎｏ）、処理がステップＳ１８に移行する。当該ステップＳ１５の処理は、制御部１１の検出処理部１１２により実行される。当該ステップＳ１５は、本発明の検出ステップの一例である。
【００６４】
＜ステップＳ１６＞
ステップＳ１６において、制御部１１は、前記テーブル分割操作に応じてテーブルグループ情報Ｄ２を更新する。当該ステップＳ１６の処理は、制御部１１のグループ編集処理部１１３により実行される。当該ステップＳ１６は、本発明のグループ編集ステップの一例である。
【００６５】
＜ステップＳ１７＞
ステップＳ１７において、制御部１１は、前記テーブル分割操作に応じてテーブル管理画面Ｐ１に含まれるテーブルグループ画像Ｇ１を更新する。当該ステップＳ１７の処理は、制御部１１の表示処理部１１１により実行される。当該ステップＳ１７は、本発明の表示ステップの一例である。
【００６６】
例えば、図８に示されるテーブル管理画面Ｐ１において、前記テーブル分割操作が複数回行われることによって（すなわち、前記ステップＳ１６及び前記ステップＳ１７の処理が複数回実行されることによって）、図７に示されるようなテーブル管理画面Ｐ１が表示部１４に表示される。
【００６７】
＜ステップＳ１８＞
ステップＳ１８において、制御部１１は、予め定められた割当操作が行われたか否かを判断する。前記割当操作は、利用者グループをいずれかのテーブルグループに割り当てる操作である。例えば、制御部１１は、テーブル管理画面Ｐ１に表示されている利用者グループ画像Ｇ２（図１５参照）がいずれかのテーブルグループ画像Ｇ１にドラッグアンドドロップされた場合に、前記割当操作が行われたと判断する。そして、前記割当操作が行われたと判断されると（Ｓ１８：Ｙｅｓ）、処理がステップＳ１９に移行する。一方、前記割当操作が行われていないと判断されると（Ｓ１８：Ｎｏ）、処理がステップＳ２１に移行する。当該ステップＳ１８の処理は、制御部１１の配席処理部１１６により実行される。
【００６８】
＜ステップＳ１９＞
ステップＳ１９において、制御部１１は、前記割当操作により指定されたテーブルグループに前記利用者グループを割り当てる。例えば、制御部１１は、前記利用者グループに関する情報（例えば、代表者名、人数、日付、時間帯など）と、前記割当操作により指定されたテーブルグループのテーブルグループＩＤとを予約情報Ｄ３として記憶部１２に保存する。
【００６９】
＜ステップＳ２０＞
ステップＳ２０において、制御部１１は、前記割当操作に応じてテーブル管理画面Ｐ１に含まれるテーブルグループ画像Ｇ１を更新する。例えば、制御部１１は、図１６に示されるテーブル管理画面Ｐ１のように、前記割当操作により指定されたテーブルグループ（ここでは、テーブルグループＴＧ１）に対応するテーブルグループ画像Ｇ１に、当該テーブルグループ画像Ｇ１に対応するテーブルグループに割り当てられた利用者グループを示す利用者グループ情報（例えば、利用者グループ画像Ｇ２、代表者名、人数、時間帯など）を合成表示してもよい。
【００７０】
＜ステップＳ２１＞
ステップＳ２１において、制御部１１は、予め定められた終了操作が行われたか否かを判断する。そして、前記終了操作が行われたと判断されると（Ｓ２１：Ｙｅｓ）、前記テーブル管理処理は終了する。一方、前記終了操作が行われていないと判断されると（Ｓ２１：Ｎｏ）、処理が前記ステップＳ１２に戻る。
【００７１】
以上説明したように、本実施形態に係るテーブル管理装置１では、施設に配置される一又は複数のテーブルを含むテーブルグループごとに、前記テーブルグループに対応するテーブルグループ画像Ｇ１が表示部１４に表示される。そして、前記テーブルグループ画像Ｇ１に対して、一度に最大で１つの指示位置のみが検出される操作態様で行われるグループ分割操作が行われた場合に、前記テーブルグループ画像Ｇ１に対応するテーブルグループが複数のテーブルグループに分割される。よって、表示部１４に表示されるテーブルグループ画像Ｇ１が小さい場合でも、所望のテーブルグループ画像Ｇ１に対するグループ分割操作を容易に行うことが可能である。また、一度に２点以上の指示位置を検出することができない操作部１３（例えば、１つのタッチ位置しか検出できないタッチパネル、画面に表示されるポインタを用いて位置を指示するマウスなど）を使用する場合であってもグループ分割操作を行うことが可能である。また、操作部１３としてタッチパネルを用いる場合には、１本の指でグループ分割操作を行うことができるので、１本の指しか使えない状況（例えば、何かを掴みながら操作しなければならない状況や、残りの指が濡れたり汚れたりしている状況など）でもグループ分割操作を行うことができる。
【００７２】
［変形例］
なお、本実施形態では、テーブル管理装置１に設けられた操作部１３及び表示部１４を通じて前記テーブル分割操作などの操作が行われるが、本発明はこれに限定されない。他の実施形態では、インターネットのような通信網を通じてテーブル管理装置１と通信可能な任意のユーザ端末（例えば、スマートフォン、パーソナルコンピュータ）に設けられた操作部及び表示部を通じて前記テーブル分割操作などの操作が行われてもよい。
【００７３】
また、他の実施形態では、前記第１操作（テーブルグループ画像Ｇ１上の点を複数回指示する操作）、前記第２操作（テーブルグループ画像Ｇ１上の点を予め定められた時間以上指示し続ける操作）、及び前記第３操作（テーブルグループ画像Ｇ１を横切るように前記指示位置を移動させる操作）のうちのいずれか１つ又は２つの操作が行われたときには、操作されたテーブルグループ画像Ｇ１に対応するテーブルグループの分割処理が実行され、他のいずれか１つ又は２つの操作が行われたときには、前記分割処理とは異なる処理（例えば、操作されたテーブルグループ画像Ｇ１に対応するテーブルグループに対して任意の利用者グループを割り当てる処理、操作されたテーブルグループ画像Ｇ１をドラッグ操作に応じて移動可能な状態にする処理など）が実行されてもよい。例えば、制御部１１（グループ編集処理部１１３）は、前記第３操作が行われた場合には、操作されたテーブルグループ画像Ｇ１に対応するテーブルグループを複数のテーブルグループに分割し、前記第２操作が行われた場合には、操作されたテーブルグループ画像Ｇ１に対応するテーブルグループに対して任意の利用者グループを割り当てるための割当設定画面を表示してもよい。
【００７４】
また、他の実施形態では、前記第１操作、前記第２操作、及び前記第３操作のうちのいずれか１つ又は２つの操作が行われたときには、操作されたテーブルグループ画像Ｇ１に対応するテーブルグループが当該操作に応じて選択される分割パターンで分割され、他のいずれか１つ又は２つの操作が行われたときには、操作されたテーブルグループ画像Ｇ１に対応するテーブルグループが、テーブル各々に対応する最小単位のテーブルグループに即座に分割されてもよい。例えば、制御部１１（グループ編集処理部１１３）は、前記第１操作が行われた場合には、図９に示されるように、操作されたテーブルグループ画像Ｇ１に対応するテーブルグループを、テーブルグループ画像Ｇ１上の点が指示される回数に応じて選択される分割パターンで分割し、前記第２操作が行われた場合には、操作されたテーブルグループ画像Ｇ１に対応するテーブルグループを最小単位のテーブルグループに即座に分割してもよい。
【符号の説明】
【００７５】
１  テーブル管理装置
１１  制御部
１２  記憶部
１３  操作部
１４  表示部
１１１  表示処理部
１１２  検出処理部
１１３  グループ編集処理部
１１４  移動処理部
１１５  実行処理部
１１６  配席処理部
【図１】
2020123195.tif 000003
【図２】
2020123195.tif 000004
【図３】
2020123195.tif 000005
【図４】
2020123195.tif 000006
【図５】
2020123195.tif 000007
【図６】
2020123195.tif 000008
【図７】
2020123195.tif 000009
【図８】
2020123195.tif 000010
【図９】
2020123195.tif 000011
【図１０】
2020123195.tif 000012
【図１１】
2020123195.tif 000013
【図１２】
2020123195.tif 000014
【図１３】
2020123195.tif 000015
【図１４】
2020123195.tif 000016
【図１５】
2020123195.tif 000017
【図１６】
2020123195.tif 000018